(57)【要約】　【課題】 簡単な操作で、イラストがその内部に付加された文書を作成することのできる、電子メール作成装置の実現。　【解決手段】　文書データの作成および編集を行う文書データ作成編集手段２と、付加データを蓄積した付加データ蓄積手段３と、付加データ蓄積手段３から、特定の付加データを選択する付加データ選択手段５と、文書データと特定の付加データとを合成して、合成データを生成する合成手段６とを備え、合成データは電子メールとして送受信される。【選択図】 図１
2004139602.tif 000002
【特許請求の範囲】
【請求項１】
電子メールの作成画面上にて文書データの作成および編集を行う文書データ作成編集手段と、
　付加データを蓄積した付加データ蓄積手段から、特定の付加データを選択する付加データ選択手段と、
　前記文書データと前記特定の付加データとを合成して、前記画面上に表示するように合成データを生成する合成手段と、
　前記合成データを電子メールとして送信する送信手段とを備え、
前記合成手段は、前記文書データ作成編集手段により入力された合成のために用いる合成記号によって指定された前記文書データ上の位置に特定の付加データを挿入する処理と前記合成記号を削除する処理を行うことにより合成を行う、電子メール作成装置。
【請求項２】
前記付加データは所定の属性を備えたものである、請求項１記載の電子メール作成装置。
【請求項３】
指示された前記所定の属性に応じて前記蓄積手段から候補となる付加データを表示する付加データ表示手段をさらに備え、前記選択手段は、前記候補となる付加データから、特定の付加データを選択する、請求項２記載の電子メール作成装置。
【請求項４】
前記画面上における所定の属性の指示は、前記合成記号によって指定された位置にて行われる、請求項３記載の電子メール作成装置。
【請求項５】
前記付加データは、テキストデータで構成されたイラスト、画像データまたは動画データである、請求項１〜４のいずれかに記載の電子メール作成装置。
【請求項６】
付加データは、外部機器から画像を取り込む画像データとイラストデータとを合成したものである、請求項１〜５のいずれかに記載の電子メール作成装置。
【請求項７】
アプリケーション・プログラム・インタフェース（ＡＰＩ）の対象として動作する、請求項１〜６のいずれかに記載の電子メール作成装置。
【請求項８】
前記合成データは、前記ＡＰＩ上にて動作する外部のメール送受信装置によって送信が行われる、請求項７に記載の電子メール作成装置。
【請求項９】
請求項１〜８のいずれかに記載の電子メール作成装置の各手段の機能をコンピュータで実行させるためのプログラムを記録し、コンピュータで読みとり可能な、プログラム記録媒体。
【発明の詳細な説明】
【技術分野】
【０００１】
　本発明は、イラスト付きの文書を作成して電子メールで送受信するための電子メール作成装置およびプログラム記録媒体に関する。
【背景技術】
【０００２】
　近年、インターネットやパソコン通信の普及により、情報通信機器としてのパーソナルコンピュータ（パソコン）の需要が飛躍的に増大し、ビジネスユース以外での電子メールによるコミュニケーションが盛んになってきた。さらに、最近はパソコンばかりでなく、携帯端末からでも簡単に電子メールの送受信が行えるようになってきている。
【０００３】
　ところで、通常の電子メールにおいては、文字のみで構成された文書の授受を行うようにしているが、ビジネスユース以外の用途を考えた場合、文字だけから構成される文書は、無味乾燥で面白味に欠け、他人の目を引きつけるほど魅力的とは言い難い。
【０００４】
　そこで、ユーザは例えば文書にイラストなどを付加することで、コミュニケーションに付加価値を与え、楽しみの範囲を広げる工夫を行っている。
【０００５】
　このような文書へのイラストの付加を行う場合、従来のメールソフトほかの電子メール作成装置では、ユーザが別途作成したり、または予め用意した画像ファイルを添付ファイル形式で付加して、送受信するようにしている。
【発明の開示】
【発明が解決しようとする課題】
【０００６】
　しかしながら、上記のような、従来の電子メール作成装置を用いて文書に別途添付ファイルを添付する方式では、ユーザが、添付するイラストなどの画像ファイルの選択、添付の操作のすべてを行うために操作が煩雑になるという問題があり、誰にでも簡単にこのような文書を作成できるというわけにはいかなかった。
【０００７】
　また、電子メールで文書を受信した側は、添付ファイルを別途専用の表示装置を起動させて閲覧するものであるが、これは実際には文書とは異なる画面に表示されるため、厳密には文書の本文内にイラストが付加されているとは言えない、という問題もあった。
【０００８】
　本発明は、このような課題に鑑みてなされたもので、ユーザが簡単な操作で、イラストがその内部に付加された文書を作成することのできる、電子メール作成装置およびプログラム記録媒体を提供することを目的とする。
【課題を解決するための手段】
【０００９】
　上述した課題を解決するために、第１の本発明は、電子メールの作成画面上にて文書データの作成および編集を行う文書データ作成編集手段と、
　付加データを蓄積した付加データ蓄積手段から、特定の付加データを選択する付加データ選択手段と、
　前記文書データと前記特定の付加データとを合成して、前記画面上に表示するように合成データを生成する合成手段と、
　前記合成データを電子メールとして送信する送信手段とを備え、
前記合成手段は、前記文書データ作成編集手段により入力された合成のために用いる合成記号によって指定された前記文書データ上の位置に特定の付加データを挿入する処理と前記合成記号を削除する処理を行うことにより合成を行う電子メール作成装置である。
【００１０】
　　また、第２の本発明は、前記付加データは所定の属性を備えたものである第１の本発明の電子メール作成装置である。
【００１１】
　　また、第３の本発明は、指示された前記所定の属性に応じて前記蓄積手段から候補となる付加データを表示する付加データ表示手段をさらに備え、前記選択手段は、前記候補となる付加データから、特定の付加データを選択する第２の本発明の電子メール作成装置である。
【００１２】
　　また、第４の本発明は、前記画面上における所定の属性の指示は、前記合成記号によって指定された位置にて行われる、第３の本発明の電子メール作成装置である。
【００１３】
　また、第５の本発明は、前記付加データは、テキストデータで構成されたイラスト、画像データまたは動画データである、第１〜４の本発明のいずれかの電子メール作成装置である。
【００１４】
　また、第６の本発明は、付加データは、外部機器から画像を取り込む画像データとイラストデータとを合成したものである第１〜５の本発明のいずれかの電子メール作成装置である。
【００１５】
　また、第７の本発明は、アプリケーション・プログラム・インタフェース（ＡＰＩ）の対象として動作する、第１〜６の本発明のいずれかの電子メール作成装置である。
【００１６】
　また、第８の本発明は、前記合成データは、前記ＡＰＩ上にて動作する外部のメール送受信装置によって送信が行われる、第７の本発明の電子メール作成装置である。
【００１７】
　また、第９の本発明は、第１〜８の本発明のいずれかの電子メール作成装置の各手段の機能をコンピュータで実行させるためのプログラムを記録し、コンピュータで読みとり可能な、プログラム記録媒体である。
【発明の効果】
【００１８】
　本発明によれば、ユーザが簡単な操作で画像やテキストからなるイラストデータを、その内部に挿入した文書をメールとして作成することのできる、電子メール作成装置およびプログラム記録媒体を得ることができる。
【発明を実施するための最良の形態】
【００１９】
　以下、本発明の実施の形態について、図面を参照しながら説明する。
（実施の形態１）
　図１は、本発明の実施の形態１による電子メール作成装置の構成を示す図である。図において、１００は電子メール作成装置、１は文字の入力、あるいは情報の選択、あるいは実行などの命令の入力の少なくとも１つ以上が入力可能である情報入力手段、２は文書の作成あるいは文書の編集を行う文書作成編集手段、３は文書に挿入して用いるためのイラストを蓄積しているイラスト蓄積手段、４はイラスト蓄積手段３に蓄積されているイラストを提示するイラスト提示手段、５はイラスト提示手段４に提示されたイラストの中から少なくとも１つ以上のイラストを選択するイラスト選択手段、６はイラスト選択手段５で選択されたイラストを文書作成編集手段２で作成あるいは編集中の文書に挿入するイラスト挿入手段、７は文書作成編集手段２で作成あるいは編集された文書を電子メールとして送信する電子メール送受信手段、３０１は公衆電話網である。なお、イラスト蓄積手段３に蓄積されたイラストには、イラスト提示手段がアクセスするためのインデックスが付与されている。また、イラスト提示手段によって提示されるイラストは、携帯電話の液晶画面に表示するようになっていてもよい。
【００２０】
　次に、図２は、電子メール作成装置１００のＧＵＩ（グラフィカル・ユーザ・インタフェース）を示す図である。
【００２１】
　図において、２００は各ボタン及び画面が配置された主ウィンドウ、２０は電子メールの送信先を指定する送信先指定欄、２１は電子メールのタイトルを指定するメールタイトル指定欄、２２は電子メールの送信を指示する送信指示ボタン、２３はイラストの挿入を指示するイラスト挿入指示ボタン、２４はイラスト表示を切り替えるイラスト表示切り替えボタン、２５は文書の作成あるいは文章の編集が行われるとともにイラストが挿入されるメール作成画面、２６はイラスト提示手段４が提示したイラストを表示する候補イラスト提示画面である。ただし、各ボタンの押下および候補イラストの選択のための入力は、ポインティング・デバイスを用いておこなう。
【００２２】
　次に、図３は、電子メール作成装置１００を実行するハードウェアの構成を示す図である。図３に示す構成は、基本的には汎用の計算機システムの構成と同じである。また、図１で示したシステムの構成部分と同一構成部分を含んでいるために、同一構成部分には同一番号を付して説明を省略する。図３において、１は情報入力手段、３１は表示出力されるデータを記憶するＶＲＡＭ、３２はプログラムを記憶する揮発性のメモリである主記憶装置、３３はプログラムやデータを記憶しておく不揮発性のメモリである補助記憶装置、３４は主記憶装置１０２に記憶されているプログラムを実行するＣＰＵ、３５は公衆電話回線あるいはインターネット、イントラネットなどのネットワークとの通信を行う情報通信装置、３６はＶＲＡＭ３１上のデータを表示する、ＣＲＴや液晶ディスプレイなどの情報表示装置である。なお、このハードウェア構成は、図３の用件を備えた携帯電話であってもよい。
【００２３】
　以上のような構成を有する、本実施の形態１による電子メール作成装置の動作を、図４のフローチャートを参照しながら説明する。なお、本実施の形態では、イラストとして、文字フォントの組み合わせや配置によって絵柄を表現したテキストデータを用いた。
【００２４】
　はじめにステップＡ１では、イラスト提示手段４は、イラスト蓄積手段３に蓄積されているイラストを、付与されたインデックス順に候補イラスト提示画面２６へ出力する。候補イラスト提示画面２６は、候補イラスト（図中では４葉）を一度に表示する。
【００２５】
　次にステップＡ２では、ユーザは候補イラスト提示画面２６に表示されている候補イラストから、所望のものがあるかどうかを確認する。現在表示中の候補イラストに、ユーザが所望するものがない場合は、ステップＡ３へ進む。一方、所望のイラストが表示されている場合は、ステップＡ４へ進む。
【００２６】
　ステップＡ３では、イラスト表示切り替えボタン２４の「次ページ」のボタンをクリックする。イラスト提示手段４は、イラスト蓄積手段３からインデックス順に新しいイラストを読み出し、候補イラスト提示画面２６へ出力する。候補イラスト提示画面２６は、新たな候補イラストを一度に提示する。このとき、ユーザはイラスト表示切り替えボタン２４の「前ページ」のボタンをクリックすることにより、現在表示中の候補イラストよりも以前に表示した候補イラストを候補イラスト提示画面２６に表示させることができる。また、上述の動作と同様に、再びイラスト切り替えボタン２４の「次ページ」をクリックすると、現在表示中の候補イラストよりもさらに新しい候補イラストを表示させることができる。このステップＡ１、Ａ２およびＡ３の操作は、ユーザが所望するイラストが、候補イラスト提示画面２６に表示されるまで繰り返される。
【００２７】
　ステップＡ４では、候補イラスト提示画面２６に表示されている候補イラストから、所望のイラストを決定する。ユーザの操作に基づき、情報入力手段１が候補イラスト提示画面２６に表示されている候補イラストの中から所望のものを選択する。この動作は、主ウィンドウ２００上では、ポインティング・デバイスにより候補イラスト提示画面２６上のイラストを直接クリックすることによって実現される。
【００２８】
　ステップＡ５では、ステップＡ４にて決定されたイラストを文書作成編集手段２の編集の対象となる文書に挿入するようにする。ユーザの操作に基づき、イラスト挿入手段６が、決定されたイラストをメール作成画面２５上のあらかじめ決まった位置にコピーする。この動作は、主ウィンドウ２００上では、ポインティング・デバイスによりイラスト挿入指示ボタン２３をクリックすることによって実現される。ここで図５（ａ）に、メール作成画面２５上に、決定したイラストをコピーした様子を示す。
【００２９】
　ステップＡ６では、ユーザの操作に基づき、文書作成編集手段２が、ステップＡ５にてイラストを、挿入したメール作成画面２５上の文書に、該イラストを取り巻く形で本文を作成、編集し、メールの形態に整える。このとき、文書作成編集手段２は、従来のメール作成装置やワープロ、エディタと同様の操作でメールの本文の作成を行う。
【００３０】
　本実施の形態では、イラストはテキストデータを用いているため、メールの本文とイラストを同一の編集画面、かつプレーンテキスト形式で編集することが可能である。ここで図５（ｂ）に、メール作成画面２５上において、イラストと文書の本文が混在した形で編集を完了した状態を示す。
【００３１】
　ステップＡ７では、ステップＡ６にて作成が完了したメールを、送信可能な状態にする。送信指示ボタン２２のクリックによってメールの送信の指示が与えられると、ステップＡ６にて作成を完了したメールに、送信先指定欄２０で指定された送信先、メールタイトル指定欄２１で指定されたメールタイトル、および電子メールに必要なヘッダ情報が、図示しない専用の付加手段によって付加される。ただし、上記の動作に先だって、送信先指定欄２０への送信先およびメールタイトル指定欄２１へのメールタイトルの記入は、これまでの動作ステップＡ１ないしステップＡ６のいずれのステップにおいて行ってもよい。
【００３２】
　最後にステップＡ８では、電子メール送受信手段７が、公衆電話網３０１を介して電子メールの送信を完了する。
【００３３】
　なお、図３４に示すように、テーダダウンロート゛手段４０００を追加した場合は、イラスト蓄積手段３に蓄積されているイラストデータを、公衆電話回線３０１を経由して、外部のサーバーなどからダウンロードすることによって、イラストの内容を追加したり、更新することが可能となる。
（実施の形態２）
　図６は、本発明の実施の形態２による電子メール作成装置の構成を示す図である。図において、図１と同一符号は同一部または同一手段である。また８は文書作成編集手段２で作成中の文書の編集位置、すなわちカーソルの位置を検出するカーソル位置検出手段である。
【００３４】
　次に、本実施の形態２による電子メール作成装置６００のＧＵＩは、図２に示す本実施の形態１と同様である。また、ハードウェアの構成も図３に示す本実施の形態１と同様である。
【００３５】
　以上のような構成を有する、本実施の形態２による電子メール作成装置の動作を、本実施の形態１と同様、図４のフローチャートを参照しながら説明する。ただし、本実施の形態においても、実施の形態１と同様に、イラストとして、文字フォントの組み合わせや配置によって絵柄を表現したテキストデータを用いた。
【００３６】
　はじめに、ステップＡ１、Ａ２、Ａ３およびステップＡ４での動作は、実施の形態１のステップＡ１、Ａ２、Ａ３およびＡ４と同様の動作であるため、説明を省略する。
【００３７】
　次に、ステップＡ５では、ステップＡ４にて決定されたイラストをメール作成画面２５上にて編集の対象となる文書に挿入するようにする。ユーザの操作に基づき、イラスト挿入手段６が、決定されたイラストを保持する。続いて、文書作成編集手段２が、メール作成画面２５上において、未だ文書の編集や作成を行っていない場合は、本実施の形態１と同様に、イラスト挿入手段６は、保持しているイラストを、メール作成画面２５上にコピーする。一方、文書作成編集手段２が、メール作成画面２５上において文書の編集や作成をすでに行っている場合は、カーソル位置検出手段８が、メール作成画面２５上における、現在の編集中の文書のカーソル位置を検出する。このカーソル位置は、例えば行番号と列番号とを用いて「３行目、５桁目」等のように表される。カーソル位置が検出されると、イラスト挿入手段６は、該カーソル位置に、保持しているイラストを挿入する。挿入に当たっては、カーソル行頭にない場合は、その場所でテキストを折り返し、その位置にイラストを挿入する。図７はその様子を示したもので、（ａ）が編集中の文書であり「お弁当作っていきます。」の「て」と「い」の間にカーソルがある。そこで、その位置でテキストを改行し、「お弁当作って」の行と「いきます。」の行の間にイラストが挿入され、同図（ｂ）のようになる。
【００３８】
　ステップＡ６では、実施の形態１と同様、ユーザの操作に基づき、ステップＡ５で挿入されたイラストの前後に文書を追加、編集し、メールの本文の作成を行う。　続いて、ステップＡ７およびＡ８では、それぞれ本実施の形態１のステップＡ７およびＡ８と同様の動作を行い、メールを送信する。
【００３９】
　なお、本実施の形態においては、メールの本文に挿入するイラストを、テキストデータからなるものとして説明をおこなったが、これに限定するものではなく、ＪＰＥＧなどの静止画像データ、ＭＰＥＧやＡＶＩといった動画像データ、Ｍｏｔｉｏｎ−ＪＰＥＧやＧＩＦアニメーションなどの疑似静止画像データ、あるいはベクトル形式により作成されたデータをイラストとして挿入するようにしてもよい。この場合、イラスト挿入手段６は、イラストをＢＡＳＥ６４、ｕｕｅｎｃｏｄｅなどといった電子メールの添付ファイルで用いられるファイルエンコード方式によりエンコードするとともに、文書作成編集手段２は、文書をＨＴＭＬ形式として作成する。イラストは電子メールの添付ファイルとなるが、添付された画像の表示位置は、文書の本文中にＨＴＭＬで指定されており、メールの受信者は、メール作成画面２５上の指定された位置に、イラストが挿入された状態で文書を見ることができる。なお、ＨＴＭＬ形式でイラストの表示位置を指定する際には、カスケーディングスタイルシート（ＣＳＳ）と呼ばれる記述方法を用いてもよい。
（実施の形態３）
　図８は、本発明の実施の形態３による電子メール作成装置の構成を示す図である。 図において、図１と同一符号は同一部または同一手段である。また８００は電子メール作成装置、９は文書作成編集手段２において作成あるいは編集中の現在の文書の中から、イラストの挿入位置を指定する特定の文字列を検出する挿入位置指定情報検出手段である。
【００４０】
　次に、本実施の形態３による電子メール作成装置８００のＧＵＩは、図２に示す本実施の形態１と同様である。また、ハードウェアの構成も図３に示す本実施の形態１と同様である。
以上のような構成を有する、本実施の形態３による電子メール作成装置の動作を、本実施の形態１と同様、図４のフローチャートを参照しながら説明する。ただし、本実施の形態においても、実施の形態１と同様に、イラストとして、文字フォントの組み合わせや配置によって絵柄を表現したテキストデータを用いた。
【００４１】
　さらに、本実施の形態では、文書作成編集手段２は、あらかじめメール作成画面２５上にて文書の作成あるいは編集を行っているものとする。
【００４２】
　はじめに、ステップＡ１、Ａ２、Ａ３およびステップＡ４での動作は、実施の形態１および２のステップＡ１、Ａ２、Ａ３およびＡ４と同様の動作であるため、説明を省略する。
【００４３】
　次に、ステップＡ５では、ステップＡ４にて決定されたイラストをメール作成画面２５上にて編集の対象となっている文書に挿入するようにする。ユーザの操作に基づき、イラスト挿入手段６は、決定されたイラストを保持する。続いて、挿入位置指定情報検出手段９は、文書作成編集手段２がメール作成画面２５において編集中の文書から、挿入位置指定文字列を検出する。この挿入位置指定文字列としては、例えば、「<ILLUST>」、「$$$」などというような、通常の文書では用いられる頻度が少ない文字列をあらかじめ定めておく。挿入位置が検出されると、イラスト挿入手段６は、該挿入位置に、保持しているイラストを挿入する。このイラスト挿入に際しては、挿入位置指定文字列はイラストの挿入後に削除し、かつ、その場所でテキストを折り返すように文書を整形する。図９はその様子を示したもので、（ａ）が編集中の文書であり「お弁当作って$$$いきます。」の「て」と「い」の間に挿入位置指定文字列がある。そこで、「$$$」自体は削除し、その位置でテキストを改行し、「お弁当作って」の行と「いきます。」の行の間にイラストが挿入され、同図（ｂ）のようになる。
【００４４】
　これ以後の、ステップＡ６、ステップＡ７およびステップＡ８の動作は、実施の形態１および２と同様にして行われる。
【００４５】
　なお、本実施の形態においては、メールの本文に挿入するイラストを、テキストデータからなるものとして説明をおこなったが、これに限定するものではなく、ＪＰＥＧなどの静止画像データ、ＭＰＥＧやＡＶＩといった動画像データ、Ｍｏｔｉｏｎ−ＪＰＥＧやＧＩＦアニメーションなどの疑似静止画像データ、あるいはベクトル形式により作成されたデータをイラストとして挿入するようにしてもよい。この場合、イラスト挿入手段６は、イラストをＢＡＳＥ６４、ｕｕｅｎｃｏｄｅなどといった電子メールの添付ファイルで用いられるファイルエンコード方式によりエンコードするとともに、文書作成編集手段２は、文書をＨＴＭＬ形式として作成する。イラストは電子メールの添付ファイルとなるが、添付された画像の表示位置は、文書の本文中にＨＴＭＬで指定されており、メールの受信者は、メール作成画面２５上の指定された位置に、イラストが挿入された状態で文書を見ることができる。上述のテキストデータをイラストとして用いた場合と同じく、メール作成画面２５上では、送信側においても受信側においても、文書とイラストとは同一画面上に表示される。
（実施の形態４）
　図１０は、本発明の実施の形態４による電子メール作成装置構成を示す図である。
【００４６】
　図において、図１と同一符号は同一部または同一手段である。また、１０００は電子メール作成装置、１０はイラスト蓄積手段３に蓄積されているイラストの中から、イラストが持つ属性について、ユーザが提示を希望する属性値を指定する、イラスト属性値指定手段、１１はイラスト属性値指定手段１０によって指定されたイラスト属性値に合致するイラストをイラスト蓄積手段３から検索するイラスト検索手段である。ただし本実施の形態において、イラスト蓄積手段３は、イラストに加えて、蓄積しているイラストについて、イラストの名称、分類、作成者、作成日時などの属性値を蓄積している。
【００４７】
　次に、図１１は、本実施の形態４による電子メール作成装置１０００のＧＵＩを示す図である。
【００４８】
　図において、図２と同一符号は同一部または同一手段であり、１１はイラスト属性値入力画面、ただし、各ボタンの押下およびイラストの選択のための入力は、ポインティング・デバイスまたはキーボードを用いておこなう。
【００４９】
　次に、本実施の形態４の電子メール作成装置１０００を実行するハードウェアの構成は、図３に示す本実施の形態１と同様のものである。
【００５０】
　以上のような構成を有する、本実施の形態４による電子メール作成装置の動作を図１２のフローチャートを参照しながら説明する。ただし、本実施の形態では、イラストとして、文字フォントの組み合わせや配置によって絵柄を表現したテキストデータを用いた。
【００５１】
　はじめにステップＢ１では、ユーザの操作に基づき、イラスト属性値指定手段１０は、ユーザが所望するイラストの属性を指定する。この属性は、あらかじめイラスト蓄積手段３にイラストとともに蓄積されているイラスト属性値の中から指定する。図１１では「春」と指定されている。
【００５２】
　次にステップＢ２では、イラスト検索手段１１は、イラスト蓄積手段３に蓄積されているイラストの中から、イラスト属性値指定手段１０が指定した属性値に該当するものを検出するとともに、イラスト提示手段４は、イラスト検出手段１１が検出したイラストを、候補イラストとして候補イラスト提示画面２６上に表示する。
【００５３】
　ステップＢ３では、実施の形態１と同様に、ユーザは、候補イラスト提示画面２６に表示されている候補イラストの中に、所望のイラストがあるかどうかを判断する。所望のイラストが表示されていない場合は、ステップＢ４に進む。
【００５４】
　ステップＢ４では、現在指定しているイラスト属性値がそのままでよいかどうかの判定を行う。そのままでよいときは、ステップＢ５へ進み、そうでない場合は、ステップＢ１に戻り、再びイラスト属性値指定手段１０が新しいイラスト属性値を設定して、これまでのステップを繰り返す。
【００５５】
　ステップＢ５では、イラスト表示切り替えボタン２４への入力で、候補イラスト提示手段２６に表示されている候補イラストを切り替える。
ステップＢ６，ステップＢ７，ステップＢ８，ステップＢ９およびステップ１０での動作は、それぞれ図４に示す本実施の形態１のステップＡ４、ステップＡ５，ステップＡ６，ステップＡ７およびステップＡ８と同様のものであるため、説明は省略する。
【００５６】
　以上のように、本実施の形態４の電子メール作成装置によれば、イラスト属性値指定手段１０およびイラスト検索手段１１を備えた構成としたことにより、たくさんのイラストの中からユーザの指定する属性値のイラストのみを選択的に表示させ、選択することが可能となる。
【００５７】
　なお、本実施の形態の構成に、更にカーソル位置検出手段８あるいは挿入位置指定情報検出手段９を設けることにより、本実施の形態２あるいは実施の形態３と同様に、文書作成編集手段２が編集中の文書の所定の位置にイラストを直接挿入するようにしてもよい。
【００５８】
　また、本実施の形態においては、メールの本文に挿入するイラストを、テキストデータからなるものとして説明をおこなったが、これに限定するものではなく、ＪＰＥＧなどの静止画像データ、ＭＰＥＧやＡＶＩといった動画像データ、Ｍｏｔｉｏｎ−ＪＰＥＧやＧＩＦアニメーションなどの疑似静止画像データ、あるいはベクトル形式により作成されたデータをイラストとして挿入するようにしてもよい。この場合、イラスト挿入手段６は、イラストをＢＡＳＥ６４、ｕｕｅｎｃｏｄｅなどといった電子メールの添付ファイルで用いられるファイルエンコード方式によりエンコードするとともに、文書作成編集手段２は、文書をＨＴＭＬ形式として作成する。イラストは電子メールの添付ファイルとなるが、添付された画像の表示位置は、文書の本文中にＨＴＭＬで指定されており、メールの受信者は、メール作成画面２５上の指定された位置に、イラストが挿入された状態で文書を見ることができる。上述のテキストデータをイラストとして用いた場合と同じく、メール作成画面２５上では、送信側においても受信側においても、文書とイラストとは同一画面上に表示される。
（実施の形態５）
　図１３は、本発明の実施の形態５による電子メール作成装置の構成を示す図である。図において、図１と同一符号は同一部または同一手段である。また１３００は電子メール作成装置、、１２はイラスト蓄積手段３に蓄積されているイラストの中から、イラストが持つ感性属性について、ユーザが提示を希望する感性属性値を指定するイラスト感性属性値指定手段、１３はイラスト感性属性値指定手段１２によって指定されたイラスト感性属性値に合致するイラストをイラスト蓄積手段３から検索するイラスト感性検索手段である。ただし本実施の形態において、イラスト蓄積手段３は、イラストに加えて、蓄積しているイラストについて所定の感性属性値も蓄積している。
【００５９】
　次に、図１４は本実施の形態５による電子メール作成装置１３００のＧＵＩを示す図である。図１４において、図２と同一符号は同一部または同一手段である。また１４１はイラスト感性属性値入力画面である。また、ハードウェアの構成も図３に示す本実施の形態１と同様である。
【００６０】
　以上のような構成を有する、本実施の形態６による電子メール作成装置の動作を、図１２のフローチャートを参照しながら説明する。ただし、本実施の形態においても、イラストとして、文字フォントの組み合わせや配置によって絵柄を表現したテキストデータを用いた。
【００６１】
　はじめに、ステップＢ１では、ユーザの操作に基づき、イラスト感性属性値指定手段１２は、ユーザが所望するイラストの感性属性を指定する。この感性属性は、あらかじめイラスト蓄積手段３にイラストとともに蓄積されているイラスト感性属性値の中から指定する。図１４では「かわいい」と指定されている。
【００６２】
　次に、ステップＢ２では、イラスト感性検索手段は、イラスト蓄積手段３に蓄積されているイラストの中から、イラスト感性属性値指定手段１２が指定した感性属性値に適合するものを検出するとともに、イラスト提示手段４は、イラスト感性検索手段１１が検出したイラストを、候補イラストとして候補イラスト提示画面２６上に表示する。
【００６３】
　ステップＢ３では、実施の形態１と同様に、ユーザは、候補イラスト提示画面２６に表示されている候補イラストの中から、所望のイラストがあるかどうかを判断する。所望のイラストが表示されていない場合は、ステップＢ４に進む。
【００６４】
　ステップＢ４では、現在しているイラスト感性属性値がそのままでよいかどうかの判定を行う。そのままでよいときは、ステップＢ５へ進み、そうでない場合は、ステップＢ１に戻り、再びイラスト感性属性値指定手段１０が新しいイラスト感性属性値を設定して、これまでのステップを繰り返す。
【００６５】
　ステップＢ５では、イラスト表示切り替えボタン２４への入力で、候補イラスト提示画面２６に表示されている候補イラストを切り替える。
【００６６】
　ステップＢ６，ステップＢ７，ステップＢ８，ステップＢ９およびステップ１０での動作は、それぞれ図４に示す本実施の形態１のステップＡ４、ステップＡ５，ステップＡ６，ステップＡ７およびステップＡ８と同様のものであるため、説明は省略する。
【００６７】
　以上のように、本実施の形態５の電子メール作成装置によれば、イラスト感性属性値指定手段１２およびイラスト感性検索手段１３を備えた構成としたことにより、たくさんのイラストの中からユーザの指定する感性属性値のイラストのみを選択的に表示させ、選択することが可能となる。
【００６８】
　なお、本実施の形態では、イラスト感性属性値指定手段１２は、イラスト感性属性値入力画面１４１より感性属性値「かわいい」の入力を受けつけるものとして説明を行ったが、この他にも、イラスト感性属性値入力画面１４１は、例えば「かわいい＝０．５」のように、感性属性を、数値化した適合度ともに指定するようにしてもよい。また、図１５（ａ）に示すように、イラスト感性属性値入力画面１４１は、スライドバーの形状を有していてもよいし、図１５（ｂ）に示すように、スライドバー両端に、相対する感性語を配置したような構成としてもよい。さらには、図１５（ｃ）に示すように、２次元の座標軸を用いて、複合した感性属性値を指定するようにしてもよい。
【００６９】
　なお、本実施の形態にカーソル位置検出手段８あるいは挿入位置指定情報検出手段９を設けることにより、第２の実施の形態あるいは第３の実施の形態で示したような、文書作成編集手段２で編集中の文書の所定の位置にイラストを挿入するようにしてもよい。
【００７０】
　また、本実施の形態においては、メールの本文に挿入するイラストを、テキストデータからなるものとして説明をおこなったが、これに限定するものではなく、ＪＰＥＧなどの静止画像データ、ＭＰＥＧやＡＶＩといった動画像データ、Ｍｏｔｉｏｎ−ＪＰＥＧやＧＩＦアニメーションなどの疑似静止画像データ、あるいはベクトル形式により作成されたデータをイラストとして挿入するようにしてもよい。この場合、イラスト挿入手段６は、イラストをＢＡＳＥ６４、ｕｕｅｎｃｏｄｅなどといった電子メールの添付ファイルで用いられるファイルエンコード方式によりエンコードするとともに、文書作成編集手段２は、文書をＨＴＭＬ形式として作成する。イラストは電子メールの添付ファイルとなるが、添付された画像の表示位置は、文書の本文中にＨＴＭＬで指定されており、メールの受信者は、メール作成画面２５上の指定された位置に、イラストが挿入された状態で文書を見ることができる。上述のテキストデータをイラストとして用いた場合と同じく、メール作成画面２５上では、送信側においても受信側においても、文書とイラストとは同一画面上に表示される。
（実施の形態６）
　図１６は、本発明の実施の形態６による電子メール作成装置の構成を示す図である。図において、図１、図９および図１０と同一符号は同一部または同一手段である。また、１６００は電子メール作成装置、１４は挿入位置指定情報検出手段９で検出された挿入位置指定文字列の中に含まれる、挿入するイラストの属性値を検出する、イラスト属性値検出手段である。
【００７１】
　次に、本実施の形態６による電子メール作成装置１６００のＧＵＩは、図１１で示す本実施の形態４と同様である。また、ハードウェアの構成は図３に示す本実施の形態１と同様である。
【００７２】
　以上のような構成を有する、本実施の形態６による電子メール作成装置の動作を、図１７のフローチャートを参照しながら説明する。ただし、本実施の形態においても、イラストとして、文字フォントの組み合わせや配置によって絵柄を表現したテキストデータを用いた。
【００７３】
　はじめにステップＣ１では、ユーザの操作に基づき、文書作成編集手段２がメール作成画面２５上においてメールの文書を作成する。
【００７４】
　次にステップＣ２では、ステップＣ１にて文書作成編集手段２が作成した文書のイラストを挿入したい位置に、挿入位置指定文字列を追加して書き込む。このとき、挿入位置指定文字列には、イラストの属性値も同時に指定して書き込んでおく。ここで図１８に、ステップＣ２の処理の、メール作成画面２５上での状態を示す。文書作成編集手段２が作成した文書の中に、「お弁当作って$$$春$$$いきます。」という一文が書かれている。この文中の記述「$$$春$$$」が、イラストの挿入位置および属性値を表現している。イラストの属性値は二つの文字列「$$$」に挟まれた単語により定められ、この例では「春」がそれに当たる。したがって、以降のステップでは、記述「お弁当を作って」と「いきます。」との間に、属性値「春」を持つ候補イラストから所望のものを選択して挿入することになる。
【００７５】
　次に、ステップＣ３では、挿入位置指定情報検出手段９が、メール作成手段２５上に表示されている文書から、挿入位置指定文字列を検出するとともに、イラスト属性値検出手段１４が、上記挿入位置指定文字列から、候補イラストの属性値（図中の「春」）を検出する。イラスト検索手段１１は、イラスト蓄積手段３に蓄積されているイラストの中から上記属性値に該当するものを抽出し、さらにイラスト提示手段４は、抽出されたイラストを、候補イラストとして候補イラスト提示画面２６に表示する。
【００７６】
　ステップＣ４では、実施の形態１と同様にして、ユーザの操作に基づき、候補イラスト提示画面２６に表示されている候補イラストから、所望のイラストがあるかを判断する。所望のイラストが表示されている場合は、ステップＣ６へ進む。また、所望のイラストが表示されていない場合は、ステップＣ５へ進む。
【００７７】
　ステップＣ５では、イラスト表示切り替えボタン２４への入力で、表示されている候補イラストを切り替える。
【００７８】
　ステップＣ３〜Ｃ５の動作は、ユーザが所望するイラストが表示されるまで繰り返される
　次に、ステップＣ６では、所望のイラストを決定する。この際の動作は、本実施の形態１のステップＡ４でのものと同様で、ユーザの操作に基づき、情報入力手段１が、候補イラスト提示画面２６に表示されている候補イラストの中から所望のものを選択する。
【００７９】
　ステップＣ７では、ステップＣ６にて決定されたイラストをメール作成画面２５上にて編集の対象となっている文書に挿入するようする。この動作は本実施の形態３のステップＡ５でのものと同様にして行われる。ここで図１９に、イラストが、メール作成画面２５上に挿入された状態を示す。
最後に、ステップＣ８、ステップＣ９およびステップＣ１０は、本実施の形態１のステップＡ６、Ａ７およびＡ８にそれぞれ対応するものなので、説明は省略する。
【００８０】
　以上のように、本実施の形態６の電子メール作成装置によれば、イラスト属性値検出手段１４およびイラスト検索手段１１を備えた構成としたことにより、たくさんのイラストの中からユーザの指定する属性値のイラストのみを選択的に表示させ、選択することが可能となる。
【００８１】
　なお、本実施の形態では、挿入位置指定文字列として「$$$」を用いたが、これに限定するものではなく、挿入位置指定情報検出手段９が、文書の本文の文字と混同することなく十分識別可能な文字列であれば、何を用いてもよい。
【００８２】
　また、本実施の形態での構成は図１６に示したが、図１６の構成からイラスト提示手段４を省略した構成とした図２０の構成としてもよい。図２０の構成の場合、ＧＵＩは図２１のようになり、この場合、挿入位置指定情報検出手段９によって検出された文書の位置にイラストをユーザが選択させるプロセスなしに挿入し、イラスト表示切り替えボタン２０４によって、挿入位置に挿入されるイラストが次々に変化するようにすることができる。なお、この場合次々とイラストを変化させる機能をイラスト検索手段に持たせたが、イラスト提示手段に変化させる機能を持たせるときは、イラスト提示手段４を省略する必要はない。
【００８３】
　また、本実施の形態でのシステム構成は図１６に示したが、図１６の構成のイラスト属性値検出手段１４に変わって、挿入位置指定情報検出手段９で検出された挿入位置指定文字列の中に含まれる、挿入するイラストの感性属性値を検出する、イラスト感性属性値検出手段１５と、イラスト検索手段１１に変わってイラスト感性検索手段１３をそなえ、また、イラスト蓄積手段３には、電子メールに挿入して用いるためのイラストをそのイラストについての印象を表す形容詞あるいは形容動詞などの感性語とその度合いの感性属性とともに蓄積する、図２２に示す構成としてもよい。この場合、図１７のステップＣ２におけるイラスト挿入位置、イラスト属性値の指定において、「$$$かわいい$$$」のように、感性語を指定したり、あるいは「$$$かわいい＝０．５$$$」のように感性語とその度合いとともに指定することができる。
【００８４】
　また、本実施の形態においては、メールの本文に挿入するイラストを、テキストデータからなるものとして説明をおこなったが、これに限定するものではなく、ＪＰＥＧなどの静止画像データ、ＭＰＥＧやＡＶＩといった動画像データ、Ｍｏｔｉｏｎ−ＪＰＥＧやＧＩＦアニメーションなどの疑似静止画像データ、あるいはベクトル形式により作成されたデータをイラストとして挿入するようにしてもよい。この場合、イラスト挿入手段６は、イラストをＢＡＳＥ６４、ｕｕｅｎｃｏｄｅなどといった電子メールの添付ファイルで用いられるファイルエンコード方式によりエンコードするとともに、文書作成編集手段２は、文書をＨＴＭＬ形式として作成する。イラストは電子メールの添付ファイルとなるが、添付された画像の表示位置は、文書の本文中にＨＴＭＬで指定されており、メールの受信者は、メール作成画面２５上の指定された位置に、イラストが挿入された状態で文書を見ることができる。上述のテキストデータをイラストとして用いた場合と同じく、メール作成画面２５上では、送信側においても受信側においても、文書とイラストとは同一画面上に表示される。
（実施の形態７）
　図２３は、本発明の実施の形態７による電子メール作成装置の構成を示す図である。図において、図１と同一符号は同一部または同一手段である。また２３００は電子メール作成装置、１５はイラスト選択手段５で選択されたイラストを外部の電子メール編集送受信装置の編集画面に挿入するための命令を起動するイラスト挿入命令起動手段である。
【００８５】
　次に、図２４は、本実施の形態７による電子メール作成装置２３００のＧＵＩを示す図である。
【００８６】
　図において、図１および図２と同一符号は同一部または同一手段である。また、２４０は外部の電子メール編集送受信装置の主ウィンドウで、送信先指定欄２４１、メールタイトル指定欄２４２、送信指示ボタン２４４、文書作成編集欄２４３から構成される。
次に、本実施の形態７の電子メール作成装置２３００を実行するハードウェアの構成は、図３に示す本実施の形態１と同様のものである。
【００８７】
　以上のような構成を有する、本実施の形態７による電子メール作成装置の動作を図２５のフローチャートを参照しながら説明する。ただし、本実施の形態では、イラストとして、文字フォントの組み合わせや配置によって絵柄を表現したテキストデータを用いた。
【００８８】
　はじめに、ステップＤ１、Ｄ２、Ｄ３およびステップＤ４の動作は、それぞれ本実施の形態１の、ステップＡ１，ステップＡ２，ステップＡ３およびステップＡ４での動作と同様に行われるので、説明を省略する。
【００８９】
　次にステップＤ５では、ステップＤ４にて決定されたイラストを、既製の外部の電子メール送受信装置４００に挿入する。ここで、指示はイラスト挿入指示ボタン２３をポインティング・デバイスによってクリックして行う。この指示が与えられると、イラスト挿入命令起動手段１５が、既製の外部の電子メール送受信装置４００に対してイラストを挿入するコマンドとともに、イラストをメール本文に挿入する。米マイクロソフト社のオペレーティングシステムであるウィンドウズ（登録商標）９５／９８では、ＭＡＰＩ（メッセージングＡＰＩ）と呼ばれるインタフェースが提供されているが、このＭＡＰＩに対して、各種コマンドを与えることにより、上述した外部の電子メール送受信装置４００の起動およびメール本文への挿入といった、上述の操作が可能となる。
【００９０】
　また、ＭＡＰＩを使用しない場合においても、イラスト挿入命令起動手段１５が直接外部の電子メール送受信装置４００を起動し、起動時に起動オプションとして、メールの本文として選択されたイラストを指定してやることにより、ＭＡＰＩによるのと同様の操作を実現することが可能である。
【００９１】
　以上で、電子メール作成装置２３００の動作は終了するが、これ以降、外部の電子メール送受信装置４００においてさらにメールの編集や送信操作をすることにより、一連のすべての操作を完了する。
【００９２】
　なお、本実施の形態の構成は図２３に示したが、この構成にさらにイラスト属性値指定手段１０、イラスト検索手段１１を追加し、イラスト蓄積手段３には電子メールに挿入して用いるためのイラストをイラストの名称、分類、作成者、作成日時などの属性値とともに蓄積した、図２６に示す構成を有する電子メール作成装置２６００とすることにより、ユーザが指定したイラスト属性値のイラストを外部の電子メール送受信装置４００に挿入することが可能となる。このときのＧＵＩは図２７に示すようになる。
【００９３】
　また、同様に図２３のシステム構成にさらにイラスト感性属性値指定手段１２、
イラスト感性検索手段１３を追加し、イラスト蓄積手段３には電子メールに挿入して用いるためのイラストをそのイラストについての印象を表す形容詞あるいは形容動詞などの感性語とその度合いの感性属性とともに蓄積した、図２８に示す構成を有する電子メール作成装置２８００とすることにより、ユーザが指定したイラスト属性値のイラストを外部の電子メール送受信装置４００に挿入することが可能となる。このときのＧＵＩは図２９に示すようになる。
【００９４】
　また、本実施の形態においては、外部のメール送受信装置４００はＭＡＰＩによって起動するものとして説明を行ったが、これは他のオペレーティングシステム（ＯＳ）上で用いるなら、他のＯＳ上で動作するメール用のＡＰＩによって起動することは言うまでもない。
【００９５】
　また、本実施の形態においては、メールの本文に挿入するイラストを、テキストデータからなるものとして説明をおこなったが、これに限定するものではなく、ＪＰＥＧなどの静止画像データ、ＭＰＥＧやＡＶＩといった動画像データ、Ｍｏｔｉｏｎ−ＪＰＥＧやＧＩＦアニメーションなどの疑似静止画像データ、あるいはベクトル形式により作成されたデータをイラストとして挿入するようにしてもよい。この場合、イラスト挿入手段６は、イラストをＢＡＳＥ６４、ｕｕｅｎｃｏｄｅなどといった電子メールの添付ファイルで用いられるファイルエンコード方式によりエンコードするとともに、文書作成編集手段２は、文書をＨＴＭＬ形式として作成する。イラストは電子メールの添付ファイルとなるが、添付された画像の表示位置は、文書の本文中にＨＴＭＬで指定されており、メールの受信者は、メール作成画面２５上の指定された位置に、イラストが挿入された状態で文書を見ることができる。上述のテキストデータをイラストとして用いた場合と同じく、メール作成画面２５上では、送信側においても受信側においても、文書とイラストとは同一画面上に表示される。
（実施の形態８）
　図３０は、本発明の実施の形態８による電子メール作成装置の構成を示す図である。図において、図１と同一符号は同一部または同一手段である。また、３０００は電子メール作成装置、１６は外部機器から画像を取り込む画像キャプチャ手段、１７は画像キャプチャ手段１６が取り込んだ画像とイラスト選択手段５が選択したイラストとを合成するイラスト合成手段１７、２０は画像キャプチャ手段１６に接続される外部機器であるカメラである。
【００９６】
　次に、図３２は、本実施の８による電子メール作成装置３０００のＧＵＩを示す図である。図において、図２と同一符号は同一部または同一手段であり、また３２００は主ウィンドウ、３２１は画像キャプチャ手段１６が取り込んだ画像を表示するキャプチャ画像表示画面である。
【００９７】
　次に、図３１は、本実施の形態８の電子メール作成装置３０００を実行するハードウェアの構成を示す図である。図において、図３および図３０と同一符号は同一部または同一手段である。
【００９８】
　以上のような構成を有する、本実施の形態８による電子メール作成装置の動作は、基本的には本実施の形態１と同様にして行われるが、メール作成画面２５上に挿入するイラストが、イラスト蓄積手段３に蓄積されたイラストと、画像キャプチャ手段１６が取り込んだ画像とを合成したものである点が異なる。ただし、本実施の形態では、イラストとしてテキストデータではなく、一般の画像データを用いる。以下、図３２を参照しながら説明を行う。
【００９９】
　はじめに、主ウィンドウ２００においては、本発明の他の実施の形態と同様に、イラスト提示手段４が、候補イラスト提示画面２６に候補イラストを表示すると同時に、画像キャプチャ手段１６が、キャプチャ画像表示画面３２１に画像を表示する。
【０１００】
　次に、ユーザの操作に基づき、イラストと画像との合成を行う。キャプチャ画像表示画面に表示されている画像を参照しながら、該画像と合成させようとするイラストを、ポインティング・デバイスを用いて直接画面上から選択する。合成の対象となるイラストが表示されている画面は、図３２に示すように、他のイラストを表示している画面と識別可能なように、その枠の部分が縁取られ、画像とイラストとの合成および、この合成により得られたイメージを文書作成編集手段２の対象であるメール作成画面２５に挿入する準備が整った状態となる。
【０１０１】
　次いで、イラスト挿入指示ボタン２３のクリックにより、イラストと画像の合成が行われ、次いで合成されたイメージがメール作成画面２５上に挿入される。以後の動作は、実施の形態１ないし７と同様にして行われる。
【０１０２】
　ここで、図３３はイラストと画像との合成の様子を示す図で、（ａ）はキャプチャ画像表示画面３２１に表示されている画像、（ｂ）はイラスト提示手段４に提示されたイラストの中からユーザが選択した候補イラストである。（ｃ）は前記の（ａ）（ｂ）を合成したイメージで、この合成したイメージ（ｃ）のみが、最終的にメール作成画面２５に表示される。なお、このイメージの挿入に当たっては、あらかじめ該イメージをＢＡＳＥ６４、ｕｕｅｎｃｏｄｅなどでエンコードを行う。
【０１０３】
　なお、文書作成編集手段２が、ＨＴＭＬ形式の文書の作成およびＨＴＭＬスタイルシートによる画像の位置決めの機能を有している場合は、図３３で示した画像の合成を必ずしも行う必要はなく、スタイルシートにより図３３（ａ）および（ｂ）の２つの画像を重ね合わせることにより、メール作成画面２５上にて、イラストと画像とを合成した形で表示することができる。ただしこのとき、図３３（ｂ）のイラストとしては、背景部分を透過色に設定したトランスペアレントＧＩＦ形式のデータを用いる必要がある。
【０１０４】
　なお、請求項記載の文書データ作成編集手段は、本実施の形態においては文書作成手段２に、請求項記載の付加データ蓄積手段はイラスト蓄積手段３に、請求項記載の付加データ選択手段はイラスト選択手段５、イラスト属性値指定手段１０、イラスト検索手段１１、イラスト感性属性値指定手段１２、イラスト感性検索手段１３、イラスト属性値検出手段１４、イラスト感性属性値検出手段１５に、請求項記載の付加データ表示手段は請求項記載のイラスト提示手段４に、請求項記載の合成手段はイラスト挿入手段６、カーソル位置検出手段８、挿入位置指定情報検出手段９、イラスト挿入命令起動手段１５、画像キャプチャ手段１６およびイラスト合成手段１７にそれぞれ対応する。
【０１０５】
　また、本発明のいずれの実施の形態においても、画面上の入力にポインティング・デバイスを用いたものとして説明を行ったが、本発明はこれに限定するものではなく、情報入力手段１としてキーボード、タッチパネルなどの入力手段を用いてもよい。
【０１０６】
　また、本発明のいずれの実施の形態においても、図２で示したように、電子メール作成装置１００の主ウィンドウ２００は、１つのウインドウとして構成されているものとして説明を行ったが、本発明はこれに限定するものではなく、１つの管理された装置であれば、複数のウインドウに機能が分離されてもいてもよい。
【０１０７】
　また、本発明のいずれの実施の形態においても、電子メール送受信手段７は公衆電話網３０１と接続されているものとして説明を行ったが、本発明はこれに限定するものではなく、公衆電話網３０１に変わって、インターネットなどの広域ネットワーク、あるいはイントラネットなどのローカルエリア・ネットワークに接続するようにしてもよい。
【０１０８】
　また、本発明のいずれの実施の形態においても、本発明の電子メール作成装置を中心に説明を行ったが、本発明の記録媒体として、以上説明した各手段の機能の全部または一部、または、各ステップの全部または一部をコンピュータに実行させるプログラム、データを格納し、コンピュータで読みとり可能であり、読み取られた前記プログラムおよび／またはデータが前記コンピュータと協動して前記機能を実行することを特徴とするプログラム記録媒体を用いてもよい。
また、イラスト蓄積手段３は、ホームページのサーバにおかれてもかまわない。
【産業上の利用可能性】
【０１０９】
　本発明にかかる電子メール作成装置およびプログラム記録媒体は、ユーザが簡単な操作で画像やテキストからなるイラストデータを、その内部に挿入した文書をメールとして作成することのできる効果を有し、イラスト付きの文書を作成して電子メールで送受信するための電子メール作成装置およびプログラム記録媒体等として有用である。
【図面の簡単な説明】
【０１１０】
【図１】本発明の実施の形態１による電子メール作成装置の構成を示す図である。
【図２】本発明の実施の形態１による電子メール作成装置のＧＵＩを示す図である。
【図３】本発明の実施の形態１による電子メール作成装置を実現するハードウェアの構成を示す図である。
【図４】本発明の実施の形態１による電子メール作成装置の動作を示すフローチャートである。
【図５】本発明の実施の形態１による電子メール作成装置によるイラスト挿入の動作を説明する図である。
【図６】本発明の実施の形態２による電子メール作成装置の構成を示す図である。
【図７】本発明の実施の形態２による電子メール作成装置によるイラスト挿入の動作を説明する図である。
【図８】本発明の実施の形態３による電子メール作成装置の構成を示す図である。
【図９】本発明の実施の形態３による電子メール作成装置によるイラスト挿入の動作を説明する図である。
【図１０】本発明の実施の形態４による電子メール作成装置の構成を示す図である。
【図１１】本発明の実施の形態１による電子メール作成装置のＧＵＩを示す図である。
【図１２】本発明の実施の形態４による電子メール作成装置の動作を示すフローチャートである。
【図１３】本発明の実施の形態５による電子メール作成装置の構成を示す図である。
【図１４】本発明の実施の形態５による電子メール作成装置のＧＵＩを示す図である。
【図１５】本発明の実施の形態１による電子メール作成装置における、イラスト感性属性値入力画面の一例を示す図である。
【図１６】本発明の実施の形態６による電子メール作成装置の構成を示す図である。
【図１７】本発明の実施の形態６による電子メール作成装置の動作を示すフローチャートである。
【図１８】本発明の実施の形態６による電子メール作成装置によるイラスト挿入の動作を説明する図である。
【図１９】本発明の実施の形態６による電子メール作成装置によるイラスト挿入の動作を説明する図である。
【図２０】本発明の実施の形態６による電子メール作成装置の他の構成例を示す図である。
【図２１】本発明の実施の形態６による電子メール作成装置の他のＧＵＩ例を示す図である。
【図２２】本発明の実施の形態６による電子メール作成装置の他の構成例を示す図である。
【図２３】本発明の実施の形態７による電子メール作成装置の構成を示す図である。
【図２４】本発明の実施の形態７による電子メール作成装置のＧＵＩを示す図である。
【図２５】本発明の実施の形態７による電子メール作成装置の動作を示すフローチャートである。
【図２６】本発明の実施の形態７による電子メール作成装置の他の構成例を示す図である。
【図２７】本発明の実施の形態７による電子メール作成装置の他のＧＵＩ例を示す図である。
【図２８】本発明の実施の形態７による電子メール作成装置の他の構成例を示す図である。
【図２９】本発明の実施の形態７による電子メール作成装置の他のＧＵＩ例を示す図である。
【図３０】本発明の実施の形態８による電子メール作成装置の構成を示す図である。
【図３１】本発明の実施の形態８による電子メール作成装置を実行するハードウェアの構成を示す図である。
【図３２】本発明の実施の形態８による電子メール作成装置のＧＵＩを示す図である。
【図３３】本発明の実施の形態８による電子メール作成装置によるイラストと画像との合成の動作を説明する図である。
【図３４】本発明の他の実施の形態による電子メール作成装置の構成を示す図である。
【符号の説明】
【０１１１】
　１　情報入力手段
　２　文書作成編集手段
　３　イラスト蓄積手段
　４　イラスト提示手段
　５　イラスト選択手段
　６　イラスト挿入手段
　７　電子メール送受信手段
　８　カーソル位置検出手段
　９　挿入位置指定情報検出手段
　１０　イラスト属性値指定手段
　１１　イラスト検索手段
　１２　イラスト感性属性値指定手段
　１３　イラスト感性検索手段
　１４　イラスト属性値検出手段
　１５　イラスト挿入命令起動手段
　１６　画像キャプチャ手段
　１７　イラスト合成手段
　２０、２４１　送信先指定欄
　２１、２４２　メールタイトル指定欄
　２２、２４４　送信指示ボタン
　２３　イラスト挿入指示ボタン
　２４　イラスト表示切り替えボタン
　２５　メール作成画面
　２６　候補イラスト提示画面
　３１　ＶＲＡＭ
　３２　主記憶装置
　３３　補助記憶装置
　３４　ＣＰＵ
　３５　情報通信装置
　３６　情報表示装置
　７１　カーソル
　９１、１８１　挿入文字指定文字列
　１００、６００、８００、１０００、１３００、１６００、２０００、２２００、２３００、２６００、２８００、３０００　電子メール作成装置
　１１１　イラスト属性値入力画面
　１４１　イラスト感性属性値入力画面
　２００、２４０、１１００、１４００、２７００、２９００、３２００、　主ウィンドウ
　２４３　文書作成編集欄
　３０１　公衆電話網
　４００　電子メール編集送受信装置
４０００　ダウンロード手段
【図１】
2004139602.tif 000003
【図２】
2004139602.tif 000004
【図３】
2004139602.tif 000005
【図４】
2004139602.tif 000006
【図５】
2004139602.tif 000007
【図６】
2004139602.tif 000008
【図７】
2004139602.tif 000009
【図８】
2004139602.tif 000010
【図９】
2004139602.tif 000011
【図１０】
2004139602.tif 000012
【図１１】
2004139602.tif 000013
【図１２】
2004139602.tif 000014
【図１３】
2004139602.tif 000015
【図１４】
2004139602.tif 000016
【図１５】
2004139602.tif 000017
【図１６】
2004139602.tif 000018
【図１７】
2004139602.tif 000019
【図１８】
2004139602.tif 000020
【図１９】
2004139602.tif 000021
【図２０】
2004139602.tif 000022
【図２１】
2004139602.tif 000023
【図２２】
2004139602.tif 000024
【図２３】
2004139602.tif 000025
【図２４】
2004139602.tif 000026
【図２５】
2004139602.tif 000027
【図２６】
2004139602.tif 000028
【図２７】
2004139602.tif 000029
【図２８】
2004139602.tif 000030
【図２９】
2004139602.tif 000031
【図３０】
2004139602.tif 000032
【図３１】
2004139602.tif 000033
【図３２】
2004139602.tif 000034
【図３３】
2004139602.tif 000035
【図３４】
2004139602.tif 000036